(57)【要約】【課題】目隠しキャップの装着構造にて、目隠しキャップの蓋部によって開口を閉塞される内装部品の収容凹部内に意匠性を害する段部が無い構成とすること。【解決手段】目隠しキャップ３０は、内装部品（ベース２０）の収容凹部２１の開口Ａを開閉可能な蓋部３１と、蓋部３１の裏側から突設されて先端部にて収容凹部２１の周壁面一側に開設された取付孔に仮保持可能なヒンジ脚片３２と、蓋部３１が回転される際に回動先端となる部位の蓋部裏面に設けられて蓋部３１の閉塞状態にて収容凹部２１の周壁面他側に開設された係止孔２３に対して弾性的に係合・離脱可能な係止片３３とを備えている。蓋部３１のヒンジ脚片３２と係止片３３間に在る両裏側周縁部分にはそれぞれ支持脚部３４が設けられていて、係止片３３が係止孔２３に対して弾性的に係合している状態では支持脚部３４の底部が収容凹部２１の底壁上面に当接する。【選択図】  図１
2012072605.tif 000002
【特許請求の範囲】
【請求項１】
取付基体に固定するための固定子の先端部を収容する収容凹部を有する内装部品と、前記収容凹部の開口を開閉可能な蓋部を有する目隠しキャップとを備えていて、
前記目隠しキャップが、前記蓋部の裏側から突設されて先端部にて前記収容凹部の周壁面一側に開設された取付孔に仮保持可能であり仮保持状態では前記蓋部が前記収容凹部の開口を開放した開放状態から前記収容凹部の開口を閉塞した閉塞状態までの範囲で回転可能なヒンジ脚片と、前記蓋部が回転される際に回動先端となる部位の蓋部裏面に設けられて前記蓋部の閉塞状態にて前記収容凹部の周壁面他側に開設された係止孔に対して弾性的に係合・離脱可能な係止片を備えている目隠しキャップの装着構造において、
前記蓋部の前記ヒンジ脚片と前記係止片間に在る両裏側周縁部分にはそれぞれ所定長さで所定高さの支持脚部が設けられていて、前記係止片が前記係止孔に対して弾性的に係合している状態では前記各支持脚部の底部が前記収容凹部の底壁上面に当接するように設定されていることを特徴とする目隠しキャップの装着構造。
【請求項２】
請求項１に記載の目隠しキャップの装着構造において、前記各支持脚部は、前記ヒンジ脚片と前記係止片を結ぶ中心線に対して対称的に設けられていて、前記係止片から同係止片の係合・離脱方向にて所定量離れて設けられていることを特徴とする目隠しキャップの装着構造。
【発明の詳細な説明】
【技術分野】
【０００１】
本発明は、目隠しキャップの装着構造に関し、特に、取付基体（例えば、車両のドア）に固定するための固定子の先端部（例えば、ネジの頭部）を収容する収容凹部を有する内装部品（例えば、単なる内装部品は勿論のこと、ドアインサイドハンドルを支持するベース等の内装機能部品を含む）と、前記収容凹部の開口を開閉可能な蓋部を有する目隠しキャップとを備えている目隠しキャップの装着構造に関する。
【背景技術】
【０００２】
この種の目隠しキャップの装着構造は、例えば、下記特許文献１に示されている。下記特許文献１に記載されている目隠しキャップの装着構造においては、前記目隠しキャップが、前記蓋部の裏側周縁部分から突設されて先端部にて前記収容凹部の周壁面一側に開設された取付孔に仮保持可能であり仮保持状態では前記蓋部が前記収容凹部の開口を開放した開放状態から前記収容凹部の開口を閉塞した閉塞状態までの範囲で板厚方向にて回転可能な板状のヒンジ脚片を備えるとともに、前記蓋部が前記ヒンジ脚片の板厚方向に回転される際に回動先端となる部位の蓋部裏面に設けられて前記収容凹部の周壁面他側に開設された係止孔に対して弾性的に係合・離脱可能な係止片を備えている。
【先行技術文献】
【特許文献】
【０００３】
【特許文献１】特開２００９−２４３１５０号公報
【発明の概要】
【０００４】
（発明が解決しようとする課題）
ところで、上記した特許文献１に記載されている目隠しキャップの装着構造では、内装部品における収容凹部の底壁の周囲にキャップ支承面（底壁上面より僅かに高い面であり、底壁上面との間に段部が形成されている）が設けられていて、目隠しキャップにおける蓋部の裏面周縁がキャップ支承面にて支承されるように構成されている。このため、目隠しキャップの蓋部が内装部品の収容凹部内に向けて押し込まれても、目隠しキャップの蓋部は移動し難くて、前記係止片の前記係止孔に対する弾性的な係合が的確に維持される。しかし、上記したキャップ支承面は、コスト低減のために目隠しキャップ無しの仕様を設定する際に、内装部品の収容凹部において段部とともに目視可能に現れて、見栄え（意匠性）を損なうおそれがある。
【０００５】
（課題を解決するための手段）
本発明は、上記した課題を解決すべくなされたものであり、取付基体に固定するための固定子の先端部を収容する収容凹部を有する内装部品と、前記収容凹部の開口を開閉可能な蓋部を有する目隠しキャップとを備えていて、前記目隠しキャップが、前記蓋部の裏側から突設されて先端部にて前記収容凹部の周壁面一側に開設された取付孔に仮保持可能であり仮保持状態では前記蓋部が前記収容凹部の開口を開放した開放状態から前記収容凹部の開口を閉塞した閉塞状態までの範囲で回転可能なヒンジ脚片と、前記蓋部が回転される際に回動先端となる部位の蓋部裏面に設けられて前記蓋部の閉塞状態にて前記収容凹部の周壁面他側に開設された係止孔に対して弾性的に係合・離脱可能な係止片を備えている目隠しキャップの装着構造において、前記蓋部の前記ヒンジ脚片と前記係止片間に在る両裏側周縁部分にはそれぞれ所定長さで所定高さの支持脚部が設けられていて、前記係止片が前記係止孔に対して弾性的に係合している状態では前記各支持脚部の底部が前記収容凹部の底壁上面に当接するように設定されていることに特徴がある。この場合において、前記各支持脚部は、前記ヒンジ脚片と前記係止片を結ぶ中心線に対して対称的に設けられていて、前記係止片から前記係止片の係合・離脱方向にて所定量離れて設けられていることも可能である。
【０００６】
（発明の作用効果）
本発明による目隠しキャップの装着構造では、目隠しキャップの係止片が内装部品の係止孔に対して弾性的に係合している状態（蓋部の閉塞状態）にて、目隠しキャップに設けた各支持脚部の底部が内装部品に設けた収容凹部の底壁上面に当接するように設定されていて、目隠しキャップの蓋部が内装部品の収容凹部内への移動を規制されている。このため、目隠しキャップの蓋部が、閉塞状態にあって、内装部品の収容凹部内に向けて押し込まれても、目隠しキャップの蓋部は収容凹部内に移動し難くて、前記係止片の前記係止孔に対する弾性的な係合が的確に維持される。
【０００７】
また、本発明では、目隠しキャップの蓋部に設けた支持脚部にて、目隠しキャップの蓋部が内装部品の収容凹部内への移動を規制されているため、内装部品の収容凹部に目隠しキャップの収容凹部内への移動を規制するキャップ支承面（段部）を設ける必要がない。このため、コスト低減のために目隠しキャップ無しの仕様を設定する際に、内装部品の収容凹部において意匠性を害する部分（段部）が現れず、見栄えが損なわれない。
【０００８】
また、上記した本発明の実施に際して、前記各支持脚部が、前記ヒンジ脚片と前記係止片を結ぶ中心線に対して対称的に設けられ、前記係止片から前記係止片の係合・離脱方向にて所定量離れて設けられている場合には、蓋部が閉塞状態であるときの目隠しキャップの収容凹部内での支持バランスを良好とすることが可能であるとともに、目隠しキャップにおける蓋部の各支持脚部が設けられている部位から係止片が設けられている部位までの部分に所望の弾性を付与することが可能である。このため、目隠しキャップの蓋部にて収容凹部の開口を閉塞する際の操作フィーリング（目隠しキャップの係止片が内装部品の係止孔に弾性的に係合する際のスナップ感）を良好に設定することが可能である。
【図面の簡単な説明】
【０００９】
【図１】本発明による目隠しキャップの装着構造の一実施形態（車両のドア内側に組付けられる内装部品に実施した実施形態）を示した図であり、目隠しキャップの蓋部が内装部品（ベース）における収容凹部の開口を開放した開放状態にある図である。
【図２】図１に示した目隠しキャップの蓋部が内装部品（ベース）における収容凹部の開口を閉塞した閉塞状態にある図である。
【図３】図１および図２に示した目隠しキャップ単体の正面図である。
【図４】図３に示した目隠しキャップの右側面図である。
【図５】図３に示した目隠しキャップの平面図である。
【図６】図１に示した内装部品がグロメットとネジを用いて車両のドア内板に組付けられた状態の要部拡大断面図である。
【図７】図６に示した目隠しキャップの蓋部にて内装部品（ベース）における収容凹部の開口を閉塞した状態の要部拡大断面図である。
【図８】図７の８−８線に沿った断面図である。
【図９】内装部品（ベース）の取付孔と係止孔を内装部品（ベース）の成形時に無くす一例を概略的に示した図である。
【発明を実施するための形態】
【００１０】
以下に、本発明の一実施形態を図面に基づいて説明する。図１〜図８は、本発明による目隠しキャップの装着構造を車両のドア内側に組付けられる内装部品に実施した実施形態を示していて、この実施形態では、車両のドア内板１１（取付基体）にグロメット１２とネジ１３を用いて組付けられるベース２０（内装部品）に、目隠しキャップ３０が組付けられている。なお、ベース２０は、ドアインサイドハンドル４０およびロッキングノブ５０を回動可能に支持する内装部品（詳細には、内装機能部品と呼ばれることもある）であり、ネジ１３の頭部１３ａを収容する円柱状の収容凹部２１を有している。
【００１１】
ベース２０は、例えば、ナイロン、ポリアセタール、ＡＢＳ（アクリロニトリルブタジエンスチレン）等の樹脂素材によって形成された樹脂成形品であり、図６および図７に示したように、上記した収容凹部２１を有するとともに、取付孔２２と係止孔２３を有している。収容凹部２１は、円筒状の周壁２１ａと円環状の底壁２１ｂによって構成されていて、これらによって形成された開口Ａを目隠しキャップ３０の円形状蓋部３１によって開放・閉塞可能であり、周壁２１ａには取付孔２２と係止孔２３が形成され、底壁２１ｂにはネジ挿通孔２４が形成されている。なお、ネジ挿通孔２４には、図６〜図８に示したようにネジ１３の脚部１３ｂが挿通されている。
【００１２】
取付孔２２は、目隠しキャップ３０のヒンジ脚片３２が組付けられる部位であり、収容凹部２１の周壁面一側（図１、図２、図６、図７の左側）に開設されていて、目隠しキャップ３０を図１および図６に示したように仮保持可能である。係止孔２３は、目隠しキャップ３０の係止片３３が弾性的に係合・離脱可能な部位であり、収容凹部２１の周壁面他側（図１、図２、図６、図７の右側）に開設されていて、目隠しキャップ３０を図２および図７、図８に示したように装着可能（閉塞状態にて固定可能）である。
【００１３】
目隠しキャップ３０は、例えば、ＰＰ（ポリプロピレン）等によって形成された弾性変形可能な樹脂成形品であり、上記した蓋部３１、ヒンジ脚片３２および係止片３３を備えるとともに、一対の円弧状支持脚部３４を備えている。蓋部３１は、収容凹部２１の開口Ａの内径形状より僅かに小さい外径形状に形成されていて、収容凹部２１の開口Ａを開放・閉塞可能である。なお、蓋部３１が収容凹部２１の開口Ａを閉塞している状態（図７の状態）でも、開口Ａを通して工具（図示省略）を挿入可能であって、同工具（図示省略）にて係止片３３を傾動させてベース２０の係止孔２３から離脱させること（係止片３３のベース２０に対する係合を解除すること）が可能に構成されている。
【００１４】
ヒンジ脚片３２は、目隠しキャップ３０における蓋部３１の裏側周縁部分から突設されて錨形状の先端部３２ａにて収容凹部２１に開設した取付孔２２に図１および図６に示したように仮保持可能であり、仮保持状態では蓋部３１が収容凹部２１の開口Ａを開放した開放状態（図１および図６に示した状態）から収容凹部２１の開口Ａを閉塞した閉塞状態（図２、図７および図８に示した状態）までの範囲で板厚方向にて回転可能な板状に形成されている。なお、この実施形態では、上記した仮保持状態にて、目隠しキャップ３０の蓋部３１や支持脚部３４等がネジ１３の頭部１３ａと平面視にて重ならないように（ネジ１３の脱着に際して目隠しキャップ３０が邪魔にならないように）、ヒンジ脚片３２の自由状態での形状が図３に示したように蓋部３１に対して直角に配置されるように形成されている。
【００１５】
係止片３３は、目隠しキャップ３０の蓋部３１がヒンジ脚片３２の板厚方向に回転される際に回動先端となる部位の蓋部裏面に設けられていて、先端部には係合爪３３ａが形成されている。係合爪３３ａは、蓋部３１の閉塞状態（図２、図７および図８に示した状態）にて収容凹部２１の周壁面他側に開設された係止孔２３に対して弾性的に係合・離脱可能である。なお、係止片３３が設けられている部位の蓋部３１には、開口Ａを通して工具（図示省略）を挿入する作業を容易にするための切欠３１ａ（図２および図３参照）が形成されている。
【００１６】
各支持脚部３４は、図３〜図５に示したように、蓋部３１のヒンジ脚片３２と係止片３３間に在る両裏側周縁部分に設けられていて、所定長さＷで所定高さＨに形成されている。各支持脚部３４の長さＷは、蓋部３１の閉塞状態（図２、図７および図８に示した状態）にて蓋部３１が収容凹部２１内に押し込まれたときでも、目隠しキャップ３０が収容凹部２１内に容易に移動しないように設定されている。また、各支持脚部３４の高さＨは、係止片３３が係止孔２３に対して弾性的に係合している状態（蓋部３１の閉塞状態）では各支持脚部３４の底部が収容凹部２１の底壁２１ｂ上面に当接する（望ましくは、押し付けられるように圧接する）ように設定されている。また、各支持脚部３４は、蓋部３１の中心を通ってヒンジ脚片３２と係止片３３を結ぶ中心線ＣＬに対して対称的に設けられ、係止片３３から同係止片３３の係合・離脱方向にて所定量Ｄ離れて（ヒンジ脚片３２に対しては近接するように）設けられている。なお、前記所定量Ｄは、係止片３３が設けられている部分の蓋部３１の弾性を考慮して設定されている。
【００１７】
上記のように構成したこの実施形態においては、目隠しキャップ３０の係止片３３がベース２０の係止孔２３に対して弾性的に係合している状態（蓋部３１の閉塞状態）にて、目隠しキャップ３０に設けた各支持脚部３４の底部がベース２０に設けた収容凹部２１の底壁２１ｂ上面に当接するように設定されていて、目隠しキャップ３０の蓋部３１がベース２０の収容凹部２１内への移動を規制されている。このため、目隠しキャップ３０の蓋部３１が、閉塞状態にあって、ベース２０の収容凹部２１内に向けて押し込まれても、目隠しキャップ３０の蓋部３１は収容凹部２１内に移動し難くて、係止片３３の係止孔２３に対する弾性的な係合が的確に維持される。
【００１８】
また、この実施形態では、目隠しキャップ３０の蓋部３１に設けた支持脚部３４にて、目隠しキャップ３０の蓋部３１がベース２０の収容凹部２１内への移動を規制されているため、ベース２０の収容凹部２１に目隠しキャップ３０の収容凹部２１内への移動を規制するキャップ支承面（段部）を設ける必要がない。このため、コスト低減のために目隠しキャップ無しの仕様を設定する際に、ベース２０の収容凹部２１において意匠性を害する部分（段部）が現れず、見栄えが損なわれない。
【００１９】
また、この実施形態では、目隠しキャップ３０の各支持脚部３４が、ヒンジ脚片３２と係止片３３を結ぶ中心線ＣＬに対して対称的に設けられ、係止片３３から係止片３３の係合・離脱方向にて所定量Ｄ離れて設けられていて、蓋部３１が閉塞状態であるときの目隠しキャップ３０の収容凹部２１内での支持バランスを良好とすることが可能であるとともに、目隠しキャップ３０における蓋部３１の各支持脚部３４が設けられている部位から係止片３３が設けられている部位までの部分に所望の弾性を付与することが可能である。このため、目隠しキャップ３０の蓋部３１にて収容凹部２１の開口Ａを閉塞する際の操作フィーリング（目隠しキャップ３０の係止片３３がベース２０の係止孔２３に弾性的に係合する際のスナップ感）を良好に設定することが可能である。
【００２０】
また、この実施形態では、図３および図５に示したように、支持脚部３４における収容凹部２１の底面２１ｂに当接する側かつ係止片３３側の端部には、傾斜部３４ａが設けられている。詳説すると、傾斜部３４ａは、蓋部３１が収容凹部２１を閉塞する際に、支持脚部３４がベース２０に干渉しない態様にて設けられている。これにより、支持脚部３４を係止片３３側により近づけて配置可能となる。
【００２１】
なお、コスト低減のために目隠しキャップ無しの仕様を設定する際には、ベース２０形状を変更しないで実施することも可能であるが、この場合には、ベース２０の取付孔２２と係止孔２３が不要であるため、これらをベース２０の成形時に無くして実施することも可能である。ベース２０の取付孔２２と係止孔２３をベース２０の成形時に無くす一例としては、図９に概略的に示したように、図９の（ａ）に示した可動型５０（上型）に組まれているベース２０の取付孔２２と係止孔２３となる部分の入れ子５１と５２を、図９の（ｂ）に示したように可動型５０から取り外して、かかる可動型５０と固定型６０（図９の（ａ）と（ｂ）において形状同一）によってベースを成形することによって容易に実施することが可能である。
【００２２】
上記実施形態においては、一対の支持脚部３４が、ヒンジ脚片３２と係止片３３を結ぶ中心線ＣＬに対して対称的に設けられるように構成して実施したが、各支持脚部（３４）の配置や個数は適宜変更して実施することも可能である。また、上記実施形態においては、本発明を車両のドア内側に組付けられる内装部品（ドアインサイドハンドル４０およびロッキングノブ５０を回動可能に支持するベース２０）に実施したが、本発明は他の車両用内装部品は勿論のこと、車両用内装部品以外の種々な内装部品にも同様にまたは適宜変更して実施することが可能である。
【符号の説明】
【００２３】
１１…ドア内板（取付基体）、１２…グロメット、１３…ネジ、１３ａ…ネジの頭部、１３ｂ…ネジの脚部、２０…ベース（内装部品）、２１…収容凹部、２１ａ…周壁、２１ｂ…底壁、２２…取付孔、２３…係止孔、２４…ネジ挿通孔、３０…目隠しキャップ、３１…蓋部、３１ａ…切欠、３２…ヒンジ脚部、３２ａ…先端部、３３…係止片、３３ａ…係合爪、３４…支持脚部、Ａ…開口、ＣＬ…ヒンジ脚片と係止片を結ぶ中心線
【図１】
2012072605.tif 000003
【図２】
2012072605.tif 000004
【図３】
2012072605.tif 000005
【図４】
2012072605.tif 000006
【図５】
2012072605.tif 000007
【図６】
2012072605.tif 000008
【図７】
2012072605.tif 000009
【図８】
2012072605.tif 000010
【図９】
2012072605.tif 000011